(57)【要約】  本発明は、新規なガラスセラミックシート、特に家具ユニットの表面及び／又はワークトップとして用いることが意図されている、新規なガラスセラミックシートであって、その面のうちの少なくとも１つ、特にその下面において、１０ｃｍ未満の高さであり、かつその断面が直径３ｃｍ未満の円に内接することができる、少なくとも１つの接続要素を具備している、接続要素が、少なくとも７０℃に耐えることができる材料で作られており、かつ熱硬化性接着剤により上記の面に結合されている、新規なガラスセラミックシートに関する。本発明は、上記のシートを組み込んでいる家具及び／又は住宅設備である物品、特にワークトップ又は家具ユニットにも関する。
2019519083.tif 000002
【特許請求の範囲】
【請求項１】
ガラスセラミックシート、特に家具ユニットの表面及び／又はワークトップとして用いることが意図されている、ガラスセラミックシートであって、その面のうちの少なくとも１つ、特にその下面において、１０ｃｍ未満の高さであり、かつその断面が直径３ｃｍ未満の円に内接することができる、少なくとも１つの接続要素を具備している、前記接続要素が、少なくとも７０℃に耐えることができる材料で作られており、かつ熱硬化性接着剤により前記面に結合されている、ガラスセラミックシート。
【請求項２】
前記接着剤が、−４０〜８０℃での９００×１０−７Ｋ−１未満の膨張係数、及び１０Ｎ／ｍｍ２以上の剪断強度を更に有することを特徴とする、請求項１に記載のガラスセラミックシート。
【請求項３】
前記接続要素が、６ｃｍ未満の高さ、有利には４ｃｍ以下の高さ、及び直径２ｃｍ未満の円に内接することができる断面を有することを特徴とする、請求項１又は２に記載のガラスセラミックシート。
【請求項４】
前記接続要素が、１又は複数の部材で作られており、かつ円柱状のスタッド又はピンの外観を有しており、適切な場合には１又は複数の中空部材を具備しており、かつ／又は適切な場合には１又は複数の他の外部又は内部の構成部材を備えていることを特徴とする、請求項１〜３のいずれか一項に記載のガラスセラミックシート。
【請求項５】
前記接続要素が、少なくとも部分的に、耐火及び／又は非磁性材料で作られていることを特徴とする、請求項１〜４のいずれか一項に記載のガラスセラミックシート。
【請求項６】
前記シートが、前記シートの前記下面の下に配置されている複数の接続要素を具備していることを特徴とする、請求項１〜５のいずれか一項に記載のガラスセラミックシート。
【請求項７】
前記接続要素又は前記接続要素の少なくとも一部が、有利には取り外し可能に、１又は複数の組み合わせるべき付属品、又は組み合わせるべき付属品の少なくとも一部を受けるべき支持体の少なくとも一部を支えることが可能であることを特徴とする、請求項１〜６のいずれか一項に記載のガラスセラミックシート。
【請求項８】
少なくとも１つの接続要素が、１又は複数の付加すべき要素を、有利には取外し可能に、取り付けるための少なくとも１つの取付システムを具備しており、１又は複数の前記付加すべき要素の各々が、前記接続要素に付属している前記取付システムと相補的な少なくとも１つの取付手段を備えていることを特徴とする、請求項１〜７のいずれか一項に記載のガラスセラミックシート。
【請求項９】
相補的な取付手段を備えている１又は複数の前記付加すべき要素が、１又は複数の組み合わせるべき付属品、特に加熱要素、表示システム、電子ボード、光源、制御ユニット若しくはインターフェース、又はセンサータイプの付属品を支えることが意図されている、特にケーシング又はプレートタイプの１又は複数の支持体であることを特徴とする、請求項８に記載のガラスセラミックシート。
【請求項１０】
１又は複数の接続要素に備えられている取付システムが、付加すべき要素の取付要素を固定する少なくとも１つの手段で作られており、この要素が接続要素における位置にある時点で、この固定手段が、特に前記ガラスセラミックシートの方向に力を及ぼし、前記付加すべき要素の前記取付手段を前記接続要素に導入する方向が、好ましくは前記付加すべき要素の前記固定手段により及ぼされる前記力の方向と異なっており、特にこの方向に対して垂直であることを特徴とする、請求項８又は９に記載のガラスセラミックシート。
【請求項１１】
前記固定手段が、スプリング等の押圧要素と、ピン等の止め要素との組合せにより作られており、前記付加された要素の前記取付手段がひとたび前記接続要素に導入されると、前記スプリングを圧縮状態に保つことを特徴とする、ことを特徴とする、請求項１０に記載のガラスセラミックシート。
【請求項１２】
前記固定手段が、磁石で作られていることを特徴とする、請求項１０に記載のガラスセラミックシート。
【請求項１３】
前記シートが１５ｍｍ未満の厚さ、２０℃〜４００℃での３０×１０−７Ｋ−１未満の膨張係数、及び０．７ｍ２以上の表面積を有する一体となっているシートであることを特徴とする、請求項１〜１２のいずれか一項に記載のガラスセラミックシート。
【請求項１４】
請求項１〜１３のいずれか一項に記載の少なくとも１つのガラスセラミックシートを具備している、家具及び／又は住宅設備である物品、特にワークトップ又は家具ユニット。
【請求項１５】
前記シートが、前記家具及び／又は住宅設備である物品の１つの面、特に上面の少なくとも５０％、又は全体を占めており、かつ１又は複数の支持体上に、特に水平に載置されており、それによって、種々の用途向けの連続的な安定表面を提供するようにされていることを特徴とする、請求項１４に記載の家具及び／又は住宅設備である物品。
【請求項１６】
前記シートが、加熱要素、光源、可聴若しくは振動要素、表示システム、電子ボード、制御ユニット若しくはインターフェース、又はセンサータイプの付属品又は備品を備えていることを特徴とする、請求項１４又は１５に記載の家具及び／又は住宅設備である物品。
【発明の詳細な説明】
【技術分野】
【０００１】
本発明は、ガラスセラミック（製）のシート、特にワークトップ又は家具ユニットの（特に水平な）表面として働くことを意図しているシートに関し、このシートは特に、大きな面積のシートであり、本発明は、これによって作られたユニットにも関する。
【背景技術】
【０００２】
ガラスセラミックは、ガラス質のセラミック加熱部を作るために特に幾年もの間、用いられている。ガラス質のセラミック加熱部は、その魅力的な外観及び清掃の容易さのため、ハウスキーピングのエキスパート、家庭の電気器具の製造者及び同様に使用者にとって非常に好評である。
【０００３】
概して、ワークトップ自体は、他の材料、例えば木、石英、Ｃｏｒｉａｎ（登録商標）等から作られているが、これらのワークトップを作るガラスセラミックシートの使用は、材料に固有の問題を誘発するものの、特に魅力的であることがわかっている。
【０００４】
ガラスセラミックは、前駆体ガラス（又は母材ガラス若しくはグリーンガラス）として称されるガラスとして出発する。前駆体ガラスの固有の化学組成が、セラミック化と称される適切な熱処理により、制御された結晶化を引き起こすことを可能とする。この部分的に結晶化した特定の構造は、ガラスセラミックに固有の性質を与える。
【０００５】
求められている性質に好ましくない影響を及ぼすリスクなしに、ガラスセラミック及び／又はガラスセラミックを得る方法に修正を施すことが難しいと仮定すると、各々のガラスセラミック製品は、特定の研究及び多くの試験の成果である：例えば加熱部としてのその通常の役割において、ガラスセラミックシートは、概して、停止時において下層の加熱要素を隠蔽するのに十分低く、かつ安全の目的のため、作動時にこの加熱要素を使用者が視認でき、かつ／又は存在し得るあらゆる表示を読むのに十分に高い、可視領域における透過性を有することを必要とする。ガラスセラミックシートは、それらの用途のために必要なものとして、十分な機械的強度も有していなければならず、特にサイズが大きい場合には一層その傾向が強まり、かつ特に家庭の電気器具の分野において、ガラスセラミックシートは、（器具を支持し、器具の落下に耐える等のため）圧力、衝撃等に耐えるための（加熱部としてのそれらの通常の役割については、例えば標準規格ＥＮ  ６０３３５−２−６により定められるような）良好な性質を示さなければならない。
【０００６】
それらに割り当てられた１又は複数の機能を満足するため、ガラスセラミックシートは、（例えば、加熱部の場合には、加熱要素又は制御ストリップを有する）それらの最終目的のために必要な（装飾的な又は機能的な）付属品又は追加の要素、特に電子部材を有する付属品又は追加の要素を概して備えており、上記の要素又は付属品は、概して、嵌め込む目的でシートに備えられているハウジングに嵌め込むことにより、及び／又は、場合により、存在する場合には加熱要素と区別できる領域に結合させることにより、取り外せないようにシートに取り付けられる。このように、付属品の位置及び選択は前もって決定され、ひとたびシート及びその付属品が組み立てられると、ある要素が欠陥品である場合、特殊目的の工具を用いてアセンブリを分解しなければならないか、又は修理がシート全体若しくはアセンブリの交換を伴う。
【０００７】
更には、大きな面積のシートについては、ガラスセラミックの重量は、重く、かつ問題が生じた際にシートを容易に取り扱うことを妨げる；結果として、相互作用的かつ／又は多機能的な家具ユニットのワークトップ又は表面を作る電子部材と組み合わせたガラスセラミックの使用は、特にそれが作り出すべき修正可能な性質の設置物である場合に、部材の取付又は取り外しに関する問題を示す。
【発明の概要】
【発明が解決しようとする課題】
【０００８】
したがって、本発明は、特に電気機器のより容易な取付及び取外しを可能とし、（特にユニットにおいて及び／又はワークトップとしての）このシートの意図する用途に適している、シート、特に特殊目的の工具を用いることなく、かつシートを交換することなく、自由自在に種々のタイプの付属品を取り付け又は取り外すことを可能とするシートを開発することを求めており、注文に応じて付属品を選択すること、又は所望により若しくは適切な場合には付属品を他の付属品に置換することも可能であり、それによって、適切な場合には、修正可能な設置を行うことが可能となる。
【課題を解決するための手段】
【０００９】
この目的は、本発明による新規なガラスセラミックシートにより達せられる。このガラスセラミックシートは、家具ユニットの表面及び／又はワークトップとして用いることが特に意図されており、その面のうちの少なくとも１つ（特にかつ有利にはその（使用位置における場合の）下面）において、１０ｃｍ未満（好ましくは６ｃｍ未満、有利には４ｃｍ以下）の高さ（又は厚さ）であり、かつその（外部の）断面が直径３ｃｍ未満（好ましくは２ｃｍ未満）の円に内接することができる、少なくとも１つの接続要素（又はコネクター）を具備しており、上記の接続要素が、少なくとも７０℃に耐えることができる（好ましくは少なくとも１２０℃に耐えることができる）材料から作られており、かつ熱硬化性接着剤により上記の面に結合されており、上記の接着剤はまた、有利には（標準規格ＩＳＯ１１３５９−２に従って測定した）−４０〜８０℃での９００×１０−７Ｋ−１未満の膨張係数、及び（標準規格ＩＳＯ４５８７に従い、アルミニウム上で測定した）１０Ｎ／ｍｍ２以上の剪断強度を有する。
【００１０】
本発明はまた、本発明によるシートを組み込んでいる家具及び／又は住宅設備である物品に関し、特にワークテーブル（又はワークトップ）又は家具ユニットに関する。備品である上記の物品は、１又は複数の支持体（家具ユニットのカーカス、支持脚）上に（特に水平に）配置されている上記のシート（特に大きな面積のシート、特に後に特定するように０．７ｍ２以上の表面積を有するシート）により少なくとも作られており、それによって、安定な表面を与えるようにされている。特に、本発明は、本発明によるシートにより作られており、かつ種々の活動を同時に若しくは連続して行うことを可能とすることができ、かつ／又は物体を支持する上面又はプレート、特に大きな面積の表面又はプレートを具備している、テーブル又は家具ユニットに関する。この家具ユニットは、例えば部屋の中央の島状構造物、例えばアイランドキッチン、又は種々の用途、例えば実験テーブル、テーブル若しくはコーヒーテーブルのための随意のワークテーブル若しくはワークトップ、又は代替的に、サイドテーブルのユニット、食器棚タイプ、収納家具の物品、カウンタートップ等であってよい。
【００１１】
特に、本発明は、家具及び／又は住宅設備である物品であって、シートが、家具及び／又は住宅設備である物品の１つの面、特に上記の家具及び／又は住宅設備である上記の物品の（使用位置にある場合に）上面、特に水平な上面の過半（シートが配置されている面の５０％超、好ましくは８０％超、特に９０％超）、好ましくは全体（したがって、連続的な表面を作っている）を占めており、それによって、活動（例えば仕事、遊び、読書等）を同時に又は連続的に行うことを可能とすること、物体（例えば紙、コンピューター、瓶、陶器等）を支持すること、及び場合により適切な器で食物を準備若しくは調理若しくは加熱することを可能とする連続的で安定な表面、及び／又はユニットが意図する目的と組み合わせた随意の他の用途を与えるようにする、家具及び／又は住宅設備である物品に関する。用いるシートは、後で詳述するように、ワークトップ又は大きな家具ユニットの表面としての使用のため、特にかつ有利には一体となっており、かつ１５ｍｍ未満の厚さ、及び２０〜４００℃で３０×１０−７Ｋ−１未満の膨張係数、及び０．７ｍ２以上の表面積を有する。
【００１２】
本発明に関して示したように、開発したガラスセラミックシートは、その面のうちの少なくとも１つの上に（好ましくはシートの下面（又は使用位置において視認できない面）の上に本質的に、又は下面のみに）結合されている、少なくとも１つの、好ましくは複数の接続要素を具備している。（取り付けられた要素との（すなわち、別々に製造され、次いで組み立てられた要素との）、特に後で説明するような追加の要素と接続することができる）  各々の接続要素は、１又は複数の部材（これらの部材は、次いで接続され、かつ／又は組み立てられて、上記の要素を作る）で作られていてよく、シートが備えている少なくとも１又は複数の（有利には全ての）これらの接続要素は、後で説明及び図示するように、好ましくは円柱状のスタッド又はピンの外観を有しており、適切な場合に１又は複数の中空部材を具備しており、かつ／又は適切な場合に１又は複数の他の外部又は内部の構成部材を備えている。
【００１３】
接続要素は、特にシートが接続要素の外面の少なくとも一部（好ましくは少なくとも半分、又は全部）の上の加熱要素、特に誘導加熱要素を備えることを意図している場合には、少なくとも７０℃、好ましくは少なくとも１２０℃に耐えることができる耐火及び／又は非磁性材料で有利には作られており、例えば、アルミニウム又はグラファイト又は炭化ケイ素又は蛭石又は耐火繊維等で作られている、（特に少なくとも部分的に中空の、円柱状のスタッド又はピンの形態である）外殻（又は包囲物）で作られている。
【００１４】
有利には、シートは、上記で規定したような、特にシートの下面の下に（必要に応じておおよそ均一に）位置しており、特にシートの下面全体にわたってを超えて分布している、複数の接続要素を具備している。
【００１５】
接続要素の結合のために用いる熱硬化性接着剤は、コネクターを永続的に取り付けることを可能とする一方で、種々の応力負荷に対する良好な耐性を与える強固な接合を与える。好ましくは、この接着剤は、−４０〜８０℃での５００〜９００×１０−７Ｋ−１の膨張係数、及び１０Ｎ／ｍｍ２以上、特に１０〜５０Ｎ／ｍｍ２程度、特に１７〜５０Ｎ／ｍｍ２程度の剪断強度を有する。この接着剤は、好ましくはエポキシ又はシアノアクリレートタイプの接着剤である。それ自体で所望の備品又は付属品を取り付けることを可能とする接続要素を固定するために、これらの特定の接着剤に頼ることは、存在し得るあらゆる加熱領域においても適切かつ効果的であり、その一方で、同時に製造するのに容易でありかつ経済的であることがわかっている。
【００１６】
既に言及したように、接続要素は、これが直接的に備品である物品であっても、取り付けるべき付属品であっても、種々のタイプの備品又は付属品を受けることができる容器であっても、取り付けられた要素、特に追加の要素との接続を与えることができる。本発明による小さい面積の接続要素は、スペースの問題を示すことなしに、変更可能な構造を与えるために、シート上の種々の位置にこの接続要素を配置することを可能とし、かつ取り付けられた要素をシートの付近に配置して、この要素がその機能を発揮しつつ、同時に損傷のリスク（これらの要素の起こり得る操作の結果としてのシートの擦過、又は電子部品の熱への起こり得る暴露等）を制限するようにすることを可能とする。好ましくは、接続要素は、６ｃｍ未満、有利には４ｃｍ以下であり、少なくとも５ｍｍの高さを有し、かつその外部の断面が、直径２ｃｍ未満の円に内接することができる。
【００１７】
より具体的には、接続要素の少なくとも一部（又は全体）は、１又は複数の組み合わせるべき付属品を直接受けることとなり、又は適切な場合に組み合わせるべき付属品の少なくとも一部を直接受けることができる、支持（する）要素（ケーシング又はプレート等）の少なくとも一部を、有利には取り外し可能に、支えることができる。適切な場合には、後で説明するように、接続要素は、何対か又は何組かに組み合わせられていてもよく、これらの要素の幾つか（又は第一の要素）は、各々が取り付けられた要素（支持体及び／又は付属品）の少なくとも第一の部分を受けることを意図しており（かつこの部分を受けるために適した形態又は構造を有しており）、かつ他の要素（第二の要素）は、取り付けられた要素の少なくとも（第一の部分と異なる）第二の部分を受けることを意図しており（かつ適切な場合には第一の接続要素の形態又は構造と異なり、この部分を受けるために適した形態又は構造を有しており）、何組かに組み合わせられている接続要素は、適切な場合にかつ同一の原理に従って、追加すべき要素の組立ての予想される形態に応じて、第三の要素、又は第四の要素等を具備している。
【００１８】
特に、少なくとも１つの接続要素又は複数の接続要素（又は適切な場合には全ての接続要素）は、付加すべき要素を取り付けるための少なくとも１つの取付システムを具備しており（又は各々が具備している）、かつ（別々に作られ、かつコネクターによりシートと組み立てられている）１又は複数の付加すべき要素も、上記の接続要素に属する上記の取付システムと相補的である、少なくとも１つの取付（又は結合又は付着）手段（部材又は部品又は部分）を各々備えている。このようにして備えられた接続要素は、各々が、有利には取り外し可能に、少なくとも付加（又は結合）すべき要素の相補的な取付手段を受けることができる。相補的な取付手段を備えている付加すべき要素は、好ましくは組み合わせるべき１又は複数の付属品を受けるべき支持体（例えばケーシング又はプレート）であり、それによって、種々のタイプの付属品、特に通常の付属品又は組み立てのためのあらゆる特別な構造を有しない付属品を必要に応じて結合することを可能とする。代替的に、相補的な取付手段を備えている、取り付けるべき要素は、直接的に付属品であってもよく、この場合、上記の相補的な取付手段を有しているか、又は上記の相補的な取付手段を有するように設計されている。
【００１９】
組み合わせるべき付属品は、例えば１又は複数の加熱要素（例えば誘導コイル）、表示システム、電子ボード、光源、制御インターフェース又はハウジング、センサー、無線充電器等であってよい。１又は複数の支持体は、例えばアルミニウム製又はプラスチック製の、シートに結合させるべき付属品を受けることを意図している、特にプレート又はハウジング又はケーシングの形態を採ってよく、これらのプレート又はハウジングは、場合により、シート及びそのコネクターと完全に離れていることが可能であり、又は（上で言及したように、コネクターが何組かに組み合わせられている場合）１若しくは複数のコネクターから少なくとも一部で取り外されており、その一方で同時に、例えば後で図示するように、回転運動を用いて、他のコネクターが旋回軸として働いて、他の部分においてはコネクターと接続されていることが可能であり、適切な場合にはこ（れら）の支持体が、シート及び／又はコネクターの一部を作っているか、又は代替的には必要に応じて付加されることが可能である。
【００２０】
１又は複数の接続要素に提供されている取付システムは、例えば、ひとたび取付手段がコネクターに位置したときに、取付手段を固定するための、（好ましくは、必要に応じて取り外すこと又は開放することができる）少なくとも１つの固定手段と組み合わせられている、付加すべき要素の取付手段を受けるための少なくとも１つのキャビティで作られていてよい。固定手段は、特にガラスセラミックシートに向いた力を特に及ぼすことができ、付加すべき要素の取付手段が接続要素に導入される方向は、固定手段により及ぼされる上記の力の方向と、好ましくは異なっており、特に上記の力の方向に対して垂直である。
【００２１】
固定手段は、例えば押圧要素、例えば接続要素を（一部において）作る円柱状の外殻の外部又は内部のスプリングと、止め要素、例えば、後に図示するように、ひとたび付加された要素の取付手段が接続要素のキャビティに導入されるとスプリングを圧縮状態に維持するピンとの組合せで作られていてよく、ピンの取り外しは、その後に潜在的に付加された要素を必要に応じて引き抜くことを可能とする。
【００２２】
代替態様として、固定手段は、磁石であってよく（付加された要素の取付手段は、その場合、強磁性材料等の適切な材料で作られている）、又は代替的には磁石により引きつけられることができる材料、例えば強磁性材料で作られている接続要素の一部又は構成部材であってよく、このように、付加された要素の取付手段は、磁石又は磁化されている部分を具備している。
【００２３】
既に示したように、接続要素が取り付けられているガラスセラミックシートは、有利には一体となっており（又は一体鋳造であるか、又は一体成形として作られている）、特に本質的に平坦であり、かつ１５ｍｍ未満、特に１２ｍｍ未満、特に６ｍｍ以下の厚さ、及び２０〜４００℃で３０×１０−７Ｋ−１未満（好ましくは２０〜４００℃で１３×１０−７Ｋ−１未満）の膨張係数を有する。
【００２４】
有利には下面における、コネクター及び付属品の存在は、適切な場合には、見栄えのしない要素を隠すこと、容易に維持できる可視的な表面を与えること、及びシートの付属品の良好な耐久性を保証すること等を可能とする。このようにして、ガラスセラミックシートは、主に接続が連続的であり／一様であり／なく、魅力的で、かつ容易に維持できる表面を与える。それは、（特に数十ナノメートル〜数百ナノメートル程度の、又はこれを超える程度の）薄い厚さの装飾的な又は機能的なコーティング、例えばエナメル、塗料、薄層等で作られたコーティング、及び／又は上記のコネクターに取り付けられていても取り付けられていなくてもよい他の要素を備えていてよい。
【００２５】
適切な場合には、シートは、ワークトップ又は家具ユニットの表面としての使用のため、可視であること、及び０．４ｍ２超、特に０．７ｍ２超、又は１ｍ２超、特に２ｍ２以上の面積を有する（家庭又は仕事の）物品のための支持体として働くことを意図している最大の寸法のシートの面の（シートの長さ及びシートの幅の製品に対応する）表面積を有していてよい。この場合、シートはまた、好ましくは、次の特徴のうちの１つ及び／又は他方を有する（与えた境界値は含まれる）：（標準規格ＡＳＴＭ  Ｃ  １２５９に従って測定した）８０〜１００ＧＰａのヤング率、１１０〜２２０ＭＰａの曲げ強度（７０ｍｍ×７０ｍｍ×４ｍｍのシート上でのリングオントライポッド試験により測定した。直径４０ｍｍの円に内接している正三角形の頂点に配置した３つの直径９．５ｍｍの球上にサンプルを載置し、直径１０ｍｍの環により５ｍｍ／ｍｉｎの進行速度でサンプルの中央に力を印加した。「Ａ  ｓｔａｔｉｓｔｉｃａｌ  ｄｉｓｔｒｉｂｕｔｉｏｎ  ｏｆ  ｓｔｒｅｎｇｔｈ  ｏｆ  Ｍａｔｅｒｉａｌｓ」（Ｒｏｙａｌ  Ｓｗｅｄｉｓｈ  Ｉｎｓｔｉｔｕｔｅ  Ｆｏｒ  Ｅｎｇｉｎｅｅｒｉｎｇ  Ｒｅｓｅａｒｃｈ，Ｗ．Ｗｅｉｂｕｌｌ，Ｓｔｏｃｋｈｏｌｍ  １９３９，１−４５）に記載されているＷｅｉｂｕｌｌモデルにより結果を解釈する。得られたデータは、「スケールファクター」とも称され、平均の破断応力を示しており、屈曲の破壊係数（ＭＯＲ：ｍｏｄｕｌｕｓ  ｏｆ  ｒｕｐｔｕｒｅ）測定であるＷｅｉｂｕｌｌ法による分析から得られ、ＭＰａで示される）、（特に標準規格ＤＩＮ  ５１９３６に従って測定した）２Ｗ／ｍ．Ｋ未満の熱伝導性、２５０℃〜７００℃の耐熱衝撃性、２．３〜２．７の密度、（標準規格ＤＩＮ１２１１６に従って測定した）０〜２ｍｇ／ｃｍ２の耐酸性、及び（標準規格ＩＳＯ  ６９５に従って測定した）０〜１ｍｇ／ｃｍ２の耐塩基性。
【００２６】
用いるガラスセラミックシートは、好ましくは平坦（又は支配的に若しくは実質的に平坦）であり、かつ基材の大きさ／表面積／対角線に応じ、特に基材の対角線の０．１％未満、好ましくは３ｍｍ未満、特に２ｍｍ未満、特に１ｍｍ未満、又は約ゼロの平坦さ（審美的な又は機能的な目的のために基材に生み出されたあらゆる可能性のある意図的な変形を除いた、基材の平均の平面に対する、基材の最高点と最低点との間の高さ）を有する。平坦さは、Ｖｉｓｕｏｌにより販売されているＳｕｒＦｌａｔうねり測定器により測定される。概して、ガラスセラミックシートは、特に長方形、実際には正方形、又は円形若しくは楕円形等の形状を有し、かつ概して使用位置において「上方」にある面（視認可能である面）、使用位置において「下方」にある別の面（概して枠組又は骨組に隠れている）、及び端面（又は縁又は厚さ）を示している。上面は、概して平坦であり、かつ滑らかであるが、少なくとも１つの突出領域及び／又は少なくとも１つの凹部及び／又は少なくとも１つの開口部及び／又は勾配付きの縁等を示してもよく、これらの形状の変化は、有利にはシートにおける（材料の変化又は継ぎ目がない）連続的な変化を構成している。下面は、好ましくは平坦であり、又は実際には（コネクターが、適切な場合に充填剤としても作用する接着剤を用いて接着させることができる場合、又はシートが他の適切な充填材、例えば樹脂若しくはセルフレベリングフィルムを含有している場合に）凹凸を備えている。
【００２７】
ガラスセラミックシートの厚さは、少なくとも２ｍｍ、特に少なくとも２．５ｍｍであり、特に３〜１５ｍｍ程度である。
【００２８】
ガラスセラミックは、所望の用途及び所望の外観に応じ、暗色（黒色、暗褐色）又は薄色（白色、クリーム色）であってよく、かつ半透明又は不透明又は透明であってよい。ガラスセラミックは、特にリチウムアルミノケイ酸塩ガラスセラミックであってよい。ガラスセラミックは、特にヒ素で精製されていてもよく（すなわち、０．５重量％〜１．５重量％程度の（Ａｓ２Ｏ３として示す）酸化ヒ素を含有している組成（を有する母材ガラス）を有する）、又はヒ素で精製されていなくてもよく（特に０．２％未満、特に０．１％未満、又はゼロの酸化ヒ素の含有率を有する）、錫で精製されており、又は硫化物で精製されており、また圧延により又はフロート処理により得てもよい。
【００２９】
上記で示したように、シートは、適切な場合に特にガラスセラミックに概して用いられているコーティングの中から、種々の機能的及び／又は装飾的なコーティング、例えばエナメル、塗料、薄層（例えば金属、誘電体等）等をベースとするコーティングを具備していてよい。例えば、１つの面は、装飾目的を有する、及び／又は１又は複数の要素（表示部等）に信号を送るための、及び／又は（例えば光源が直視されることを防止するための）マスキングとして働く、及び／又は（光抽出部としての、又は均一な照明を与える等のための）他の機能のための、１若しくは複数のエナメル層、又は１若しくは複数のエナメルパターンを具備していてもよい。シートは、１又は複数の追加の性質、例えば耐擦過性、機械的強度、非マーキング性、あふれ出し防止性等をシートに与える１又は複数の機能層を備えていてもよく、特に１又は複数のコーティングは、コーティングのタイプ及び所望の機能に応じ、視認できる面又は反対側の面に存在することが可能である。
【００３０】
シートは、特にかつ有利にはコネクターにより、種々の用途を可能とする種々の要素（又は付属品）を備えていてもよく、それによって、特に相互作用的かつ変更可能なユニット又はワークトップを作るようにされている。
【００３１】
例えば、このシートは、１又は複数の光源、特に発光ダイオードで作られており、かつ例えば１若しくは複数の領域、又はシートの１若しくは複数の要素若しくは表示を、特にシートを通る光の透過により具現化する（視認可能にする）ことを意図する、１又は複数の光源を備えていてもよい。これらの光源は、（例えば表面の下に配置され、かつコネクターを用いて同様に取り付けることができるセンサーを用いた）シートの表面上の接触により、又は（特に無線通信により）遠隔的に、実際には手の単純な運動により（例えば、適切な場合には、外部に配置され、かつ例えば三角測量により動きを記録して、特に適切なアルゴリズム及び適切なインターフェースを用いて、運動を機能の作動に変換する、センサーにより）、又は適切な場合には、所定の物体をシートの所定の位置に配置することにより、作動することができる（キー、ロゴ、又はキーパッド等の形態の）操作を示すことを特に可能とする。光源は、例えば適切なインターフェースを用いた無線通信によりダウンロードし、かつ光源からシートの表面上に投影し又は透過した装飾又は種々のデータ（表示するデータ、例えばコンピューターページ、調理レシピ等）を表示することも可能とする。
【００３２】
シートは、光源に関して記載したように、種々の方法で作動することもできる１又は複数の加熱要素、例えば誘導コイル、放射要素を備えていてよく、かつ少なくとも１つの隣接する要素（例えば光源又は加熱要素）との接続インターフェース、及び／又は適切な場合には少なくとも１つの外部要素、例えば無線通信のための外部モジュールを備えていてよく、上記のインターフェースは、例えば制御ユニット、タブレット若しくはタッチスクリーン、Ｂｌｕｅｔｏｏｔｈ、ＷＬＡＮ、ｗｉｆｉ、ＲＦＩＤチップ、Ｌｉｆｉ等のタイプのシステムである。
【００３３】
シートは、他の要素、例えば１又は複数の導波管、及び種々の他の部材、特に電気及び／又は電子部材、例えば（例えば電話、誘導コイル等のための）充電器、１又は複数の導線、（例えば鍋タイプの物体が近づいてきていることを知らせる）可聴若しくは振動要素等を備えていてもよい。
【００３４】
本発明により与えられる解決策は、上記で言及したように、特に有利である。１又は複数の小さい面積の接続要素、及び種々の位置にそれらを配置する可能性は、用いる材料の選択、及び付属品の機能が何であっても、摩擦又は熱により上記の付属品が損傷する危険なしに付属品が動作することを可能とする距離で離れて組み合わせるべき１又は複数の付属品を取り付けるため、それらを取外し可能な要素と組み合わせる可能性と相まって、全てのタイプのガラスセラミックシートのために適した、上記の問題に対する解決策を与えることを可能とし、かつ複雑な取付又は工具の必要なしに、かつシート、特に大きな面積及び重量のシートを取り扱う必要なしに、種々のタイプの付属品の取付及び／又は取外しを想起することを可能とする。このようにして、本発明により開発された製品は、種々のタイプの要素を、シート上の種々の位置で、適切な場合には取り外し可能に、スペース、又はシートと組み合わせられる特定の付属品（例えば放射タイプ又は誘導タイプである、存在し得る随意の加熱要素）との干渉の問題をその設置が生ずることなく、取り付けることを可能とするアセンブリの態様を提案することにより、所望の目的を満足し、その一方で、同時に組み合わせられている付属品がシートと組み合わせてそれらの機能を行うこと（例えばシートの下方に付加された要素を用いて、加熱領域を照らすこと又はデータを示すこと等）を可能とし、提案した解決策はまた、適切な場合に、求められる時に又はシートの意図する用途に従って付属品を交換することを可能とする。
【００３５】
本発明によるシートは、特にガラスセラミックシート、特に大きな面積の、セラミック化により得られるガラスセラミックシートから、特に接続要素をガラスセラミックの表面に、本発明に従って規定する熱硬化性接着剤を用いて接合させることにより製造することができる。
【００３６】
実際には、概して以下のようにしてガラスセラミックシートを製造する：ガラスセラミックを作るために選択した組成を有するガラスを溶融炉で溶融させ、次いで、溶融ガラスを成形ローラーの間で通過させることにより、溶融ガラスを巻き取って標準的なリボン又はシートを与え、ガラスリボンを所望の寸法に切断する。次いで、既に切断されていてもよく、又は切断されていなくてもよいシートを、それ自体公知の方法でセラミック化する。セラミック化は、ガラスを、「ガラスセラミック」と称され、膨張係数がゼロ又はゼロ付近であり、かつ７５０℃（又は実際にはそれよりも高い）もの耐熱衝撃性を有する、多結晶材料へと変化させるため、選択された温度プロファイルに従ってガラスを焼成することからなる。概して、セラミック化は、概してガラス転移領域の付近に存在する核形成領域まで温度を徐々に上昇させる工程、核形成温度範囲を数分間かけて横断し、更にセラミック化保持温度まで温度を徐々に上昇させ、セラミック化保持温度で数分間保持し、続いて周囲温度まで急速に冷却させる工程を含む。
【００３７】
本発明による大きなサイズのシート、特に０．７ｍ２超の表面積を有するシートを得るためには、０．４ｍ２未満の表面積を有するセラミックガラス基材を得るための最適かつ一般的なやり方である速度、長さ又は滞留時間に対してそれぞれ、セラミック化サイクルの間の移動速度を、選択的に、少なくとも２５％、好ましくは少なくとも５０％低減させるか、又はセラミック化徐冷窯の長さ若しくはセラミック化徐冷窯における滞留時間を、少なくとも２５％、好ましくは少なくとも５０％上昇させる。
【００３８】
適切な場合には、この方法は、例えば水噴射物、切断砥石による機械的な切込み等の、（概してセラミック化前の）切断操作、続いて成形操作（研磨、面取り等）を含む。この方法は、特定の突出部を作るため、圧延又は沈下湾曲工程を含むこともできる。
【図面の簡単な説明】
【００３９】
本発明の他の有利な特徴及び詳細は、本発明の実施態様の非限定的な記載から、添付図面を参照しながら以下で明らかにしよう。
【００４０】
【図１ａ】図１ａは、第一の例示的な実施態様の本発明によるシートの（上からの）透視概略図を示している；
【図１ｂ】図１ｂは、１又は複数の組み合わせるべき備品又は付属品を受けるべき支持体が、接続要素を用いてシートに付加されかつ取り付けられている場合の、図１ａにおいて示した接続要素の１つの軸に沿った上記のシートの概略断面図を示している；
【図１ｃ】図１ｃは、図１ｂの代替的な形態の概略断面図を示しており、このとき、接続要素を用いてあらかじめ取り付けられていた支持体が取り外されている；
【図２ａ】図２ａは、（図示していない、組み合わせるべき１又は複数の備品又は付属品を受けている）支持体が複数のコネクターに取り付けられている状態の、前の実施態様の代替的な形態の（下からの）概略図を示している；
【図２ｂ】図２ｂは、支持体が接続要素に取り付けられている状態の、図２ａに示した接続要素の下からの図を示している；
【図３ａ】図３ａは、組み合わせるべき１又は複数の設備又は付属品（図示せず）を受けている支持体が（この支持体は、適切な場合にはシート又はシートが載置されるコネクターの一部を作っている）設備又は付属品の操作的に適切な位置にあるときの、本発明の第三の例示的な実施態様によるシートの、（上方からの）概略透視図を示している。；
【図３ｂ】図３ｂは、図３ａにおけるような概略図を示しており、このとき、支持体は、設備又は付属品の可能性のある取り外しの位置にある；
【図４ａ】図４ａは、本発明の第四の例示的な実施態様によるシートの概略断面図を示している；
【図４ｂ】図４ｂは、図４ａの実施態様の代替的な形態を示している。
【発明を実施するための形態】
【００４１】
図面全体を通して、同一のタイプの要素を示すために、同一の参照番号を用いている。
【００４２】
上記の図の各々において、本発明によるシート（１）は、ガラスセラミックの一体となっているシート（例えば呼称ＫｅｒａＢｌａｃｋ＋でＥｕｒｏｋｅｒａ社により販売されている種類のシート）である。このシートは、平坦な上面及び下面を有し、かつ例えば６ｍｍの厚さ及び０．７８ｍ２の表面積を有し、特に国際公開第２０１２１５６４４４号パンフレットと同等の手順により得られる。この手順では、セラミック化徐冷窯を通過する速度を５０％まで低減させて、いかなる平面度欠陥をも有しない大型のシートを得る。
【００４３】
図示した実施態様の各々において、ガラスセラミックシート（１）、特にユニットの表面として又は大きなワークトップとして働くことを意図しているガラスセラミックシートは、その下面（１’）に、複数の接続要素（２）を備えており、接続要素の各々は、特に中空又は半中空である、少なくとも１つの外殻又は円柱体（３）を具備しており、接続要素の各々は、シートの下面（又は使用位置において最も低い面）の下で、−４０〜８０℃での９００×１０−７Ｋ−１未満の膨張係数、及び１０Ｎ／ｍｍ２超の剪断強度を有する熱硬化性接着剤（４）（視認不能である／図２ａ及び２ｂにおいて示していないが、コネクターの基部で、コネクターとシートとの間に存在している）、例えばＨｅｎｋｅｌ社により型番Ｌｏｃｔｉｔｅ  ＥＡ  ９４９２で販売されているエポキシタイプの接着剤、又はＨｅｎｋｅｌ社により型番Ｌｏｃｔｉｔｅ  ４８０で販売されているシアノアクリレートタイプの接着剤により結合されている。
【００４４】
図１ａ〜１ｃに示した第一の実施態様においては、複数の同一又は類似の接続要素（２）（これらのうちの２つを図１ａに示しており、これらの接続要素は、シートの下方の随意の位置に配置されていることが可能であり、シートの外形は、図１ａに概略的に示した外形を超えて延在していていることが可能である）を備えており、この接続要素は、例えばアルミニウム等の非磁性材料で作られている、１０ｍｍの直径及び４ｃｍの高さの円柱体（３）、並びに少なくとも１つのスプリング（５）、例えば３４ｍｍの自由長及び４８Ｎの最大力を有し、円柱体に固定されている（例えば円柱体の外部若しくは内部で、又は円柱体に取り外し不能に若しくは取り外し可能に同様に固定されている基部（６）に固定されている）、ステンレス鋼製のスプリングで各々が少なくとも作られている。この円柱体は、横断開口部（７）、例えばシートの下面から約３ｍｍの位置に貫通開口を有しており、それによって、支持体（９）の、この開口に収納されることができるための適切な大きさの部分（８，８’）をここに挿入することができる。
【００４５】
支持体（９）は、例えば寸法１９×２６ｃｍかつ（側壁の）厚さ１２ｍｍの長方形のアルミニウム又はプラスチックケーシングの形態を採っており、かつ１又は複数の備品又は付属品、例えば誘導コイル、電子ユニット等を支えることを意図している。上記の支持体の部分（８，８’）は、各々の接続要素に備えられている取付システムの相補的な取付手段を構成しており、上記の取付システムは、図１ｂの実施態様におけるスプリング（５）と開口部（７）との組合せにより作られているか（基部は、この取付システムの一部を作っていることも可能である）、又はスプリング（５）と、開口部（７）と、ピン（１０）と、図１ｃの実施態様における接続要素の下端に向いている第二の横断貫通開口部（１１）との組合せで作られている。
【００４６】
それによれば、図１ｂの実施態様において、備品又は付属品を支えている支持体が取り付けられているとき、支持体（９）のこの部分（８）（又は取付手段（８））の端部（１２）の特定の形状は、それをコネクター（２）の開口部（７）に（矢印の向きに）導入することを可能としつつ、同時に、スプリングが上記の部分に、挿入方向に対して垂直であり、かつシートの方向で力を及ぼすことにより、上記の部分を固定する位置まで、スプリング（５）を徐々に圧縮する。備品を取り外し又は交換する必要がある場合には、挿入方向に対して反対方向に引っ張り、それによってスプリング及び支持体を解放することにより、支持体を取り外すことができる。
【００４７】
取り外し可能な取付の一態様も描写している図１ｃに示した代替的な形態においては、備品又は付属品を保持している支持体が取り付けられているとき、支持体（９）の部分（８’）又は取付手段（８’））を、コネクター（２）の開口部（７）に導入し、次いでコネクターの底部でピン（１０）を開口部（１１）に導入して、スプリング（５）を圧縮し、それによって、スプリングが支持体の部分（８’）を固定しつつ、この部分の挿入方向に垂直であり、かつシートの方向で、上記の部分に力を及ぼすようにする。備品を取り外し又は交換する必要がある場合には、（挿入方向に対して反対方向に）ピンを引き抜き、それによってスプリング及び取り外すことができる支持体を解放することにより、支持体を取り外すことができる。
【００４８】
適切な場合には、図１ｂにおける基部（６）は、取り外し可能なピンとして働くこと、及びコネクターの取付システムの一部を作ることもできる。
【００４９】
この実施態様、又は図２ａ及び２ｂに示した代替的な形態においては、シートは、３組に組み合わせられている同一又は類似の接続要素（２）を備えており、各々は、円柱体（３）及びスプリング（５）の前の実施態様のように作られており（例えば前と同一の材料で作られており、かつ同一の面積を有する）、上記の円柱体に取り付けられている。
【００５０】
支持体（９’）は、例えば直径２１．５ｃｍのポリカーボネート製の湾曲したケーシングの形態を採っており、かつ備品又は付属品の１又は複数の部品、例えば誘導コイル、電子ユニット等の部品を支えることを意図している。このケーシングは、接続要素に備えられている取付システムと相補的な取付手段を構成している３つの外部フック（１３）を備えており、上記の取付システムの各々は、例えばスプリング（５）と、ピン（１０’）と、接続要素の下端に向いている横断貫通開口部（１１’）との組合せで作られている。
【００５１】
それによれば、備品又は付属品を支えている支持体（９’）が取り付けられているとき、上記の支持体を、コネクターの間に配置されているフックによりコネクター（２）の間に下から持ってきて、次いで支持体を旋回させて、フックの各々がコネクターのうちの１つを同時に外嵌するようにする。次いで、コネクターの各々の底部に備えられた開口部（１１’）にピンを導入し、組み合わせられているスプリング（５）を圧縮して、スプリングが、シートの方向で上記のフックに力を印加することにより関連するフックを係止し、それによって、支持体のその位置を固定するようにする。備品を取り外し又は交換する必要がある場合には、ピンを引き抜き、それによってスプリングを解放すること、並びに反対の（回転及び並進）運動を行うことにより、支持体を取り外すことができる。
【００５２】
（少なくとも部分的に）取外し可能である取付の態様を同様に示している図３ａ及び３ｂに示した実施態様においては、シートは、対で組み合わせられている２つのタイプの接続要素を備えており、第一のタイプの要素（２）は、周囲で取り付けられ（かつ分布して）おり、各々が（例えば前と同一の材料で作られており、かつ前と同一の寸法を有する）円柱体（３）で作られており、かつ各々がスロット又はキャビティ（１４）を具備しており、及び第二のタイプの要素（２’）は、この要素が組み合わせられている第一のタイプの要素から各々が幾らか離れており、かつ各々が（例えば前と同一の材料で作られており、かつ前と同一の寸法を有する）円柱体（３’）で作られており、かつ回転部（１５）又は回転若しくは旋回ピン又は滑動旋回部タイプの回転部を具備している。
【００５３】
支持体（９”）は、例えば直径６０ｍｍ厚さ１．２ｍｍのステンレス鋼製の丸形プレートの形態を採っており、かつ１又は複数の設備又は付属品、例えば誘導コイル、電子ユニット等を受けることを意図している。このプレートは、第二のタイプの要素（２’）の回転部又はピンに、（取り外し不能に、したがってシート及び／又は接続要素の部分を作っているか、又は代替的には取り外し可能に）取り付けられており、かつプレートが要素（２’）の回転軸又は旋回軸について回転又は旋回させられたときに、第一のタイプの要素のスロット（１４）にプレートの周囲で取り付け又は差し込み又は留めることができる。プレートが押し込まれたとき（図３ａ）、設備物品及び／又は付属品は、シートと組み合わせて操作することができ、かつプレートが（矢印の方向に）回されてシートから引き抜かれたとき、設備物品及び／又は付属品は、接近可能であり、かつ修理若しくは交換することができる。プレートの周囲にあるスロット（１４）（少なくともスロットに収納されている部分）は、例えば相補的な形状を有しており（取付手段を作っているこの周囲が、少なくともスロットにより作られている取付システムに対して相補的であり）かつ／又はこれらの２つの部分の組合せは、他の手段を用いて、例えばスロットの内側に磁石を設け、それによって、プレートの周囲で組み合わせられた部分を強磁性とすることにより得られる。プレートの固定手段は、このプレートが固定位置にあるときに設けられてもよい。
【００５４】
取外し可能な取付の一態様を同様に示している図４ａ及び４ｂに示した第四の実施態様においては、シート（１）は、複数の同一又は類似の接続要素（２）を備えており、接続要素は各々、その基部で中空であり、直径２ｍｍであり、かつ高さ１０ｍｍの、例えば非磁性材料、例えばアルミニウムで作られている、少なくとも円柱体（３）、及びコネクター（２）の基部でキャビティ（１７）に（例えば接着結合又は嵌め込みにより）取り付けられている、少なくとも１つの磁石（１６）で作られている。
【００５５】
１又は複数の設備又は付属品を受けることを意図している支持体は、例えばアルミニウム製又はプラスチック製のケーシング又はハウジングの形態を採っており、かつコネクターのキャビティ（１７）に収納することができる端部（１８）を有する部分（８’）を有しており、この端部は、例えば強磁性材料で作られているか、又は強磁性材料で被覆されており、かつ各々の接続要素において備えられている取付システムと相補的な取付手段を作っており、上記の取付システムは、キャビティと磁石との組合せにより作られている。
【００５６】
図４ｂにおける実施態様においては、設備物品又は付属品を支えている支持体が取り付けられているときに、支持体の端部（１８）がコネクター（２）でキャビティ（１７）に導入され、そこで、プレートの方向に及ぼされる力で磁石により端部が引かれる。設備が取り外し又は交換を必要とする場合、反対方向に力を及ぼすことにより、支持体を取り外すことができる。図４ｂにおける代替的な形態においては、このとき、磁石は、磁石と端部（１７）との間で及ぼされる力が、挿入方向に対して垂直となるように位置している。
【００５７】
本発明によるシートは、特に新たな範囲の調理装置又は（家具）ユニットを製造するために有利に用いることができる。
【図１ａ】
2019519083.tif 000003
【図１ｂ】
2019519083.tif 000004
【図１ｃ】
2019519083.tif 000005
【図２ａ】
2019519083.tif 000006
【図２ｂ】
2019519083.tif 000007
【図３ａ】
2019519083.tif 000008
【図３ｂ】
2019519083.tif 000009
【図４ａ】
2019519083.tif 000010
【図４ｂ】
2019519083.tif 000011
【国際調査報告】
2019519083.tif 000012
2019519083.tif 000013
2019519083.tif 000014
2019519083.tif 000015
2019519083.tif 000016
2019519083.tif 000017